(57)【要約】【課題】建物の上部躯体を容易に固定して支持することができ、現場施工の簡略化及び施工期間の短縮化を図ることができるまぐさ等の水平支持材及びこの水平支持材により支持される上部躯体の支持構造を提供する。【解決手段】上部に設けられる上階床部７及び上階壁部７６を支持するナット付きまぐさ１であって、まぐさ本体２と、上階床部７及び上階壁部７６に設けられる胴差ボルト７３と螺合するナット３と、ナット３の下部に設けられた雄ネジ部４０とを備え、ナット３は、雄ネジ部４０をまぐさ本体２の上面２１に設けられた下穴２２に接着剤５を充填してねじ込むことで前記まぐさ本体２に固定されている。このナット付きまぐさ１上に上階床部７及び上階壁部７６を組み付けて、胴差ボルト７３により連結させることで上階床部７及び上階壁部７６をナット付きまぐさ１に取り付けた。【選択図】　　　　図５
2004052234.tif 000002
【特許請求の範囲】
【請求項１】
上部に設けられる建物の上部躯体を支持するナット付き水平支持材であって、
支持材本体と、前記上部躯体に設けられるボルトと螺合するナットと、ナットの下部に設けられた雄ネジ部とを備え、
前記ナットは、前記雄ネジ部を支持材本体の上面に設けられた下穴に接着剤を充填してねじ込むことで前記支持材本体に固定されていることを特徴とするナット付き水平支持材。
【請求項２】
請求項１記載のナット付き水平支持材において、
前記雄ネジ部の上部に、前記ナットの下端部が螺合されたナット用雄ネジ部が設けられ、
このナット用雄ネジ部の上部には、前記ナット内に収納され、前記雄ネジ部を下穴にねじ込むためのねじ込み部が設けられていることを特徴とするナット付き水平支持材。
【請求項３】
請求項１または２記載のナット付き水平支持材において、
雄ネジ部の外径と下穴の内径は略同一であることを特徴とするナット付き水平支持材。
【請求項４】
請求項１〜３のいずれか一項に記載のナット付き水平支持材において、
前記ナットは、上方からボルトを挿入できるように前記支持材本体内部に固定されていることを特徴とするナット付き水平支持材。
【請求項５】
請求項１〜３のいずれか一項に記載のナット付き水平支持材において、
前記ナットは前記支持材本体の上面に取り付けられていることを特徴とするナット付き水平支持材。
【請求項６】
請求項１〜３のいずれか一項に記載のナット付き水平支持材上に設けられる建物の上部躯体の支持構造において、
前記上部躯体には、前記ナット付き水平支持材のナットに螺合するボルトが設けられ、
前記ボルトが前記ナット付き水平支持材のナットに螺合することで、前記上部躯体は前記ナット付き水平支持材に支持されていることを特徴とする上部躯体の支持構造。
【請求項７】
請求項４記載のナット付き水平支持材上に、ナット付き水平支持材のナットに連通する床側連通孔が形成された上階床部が載置され、
上階床部上に、前記上階床部とともに建物の上部躯体を構成するとともに、前記床側連通孔に連通する壁側連通孔が形成された上階壁部が立設され、
前記壁側連通孔及び床側連通孔に、上端が前記上階壁部内で係止されたボルトが挿通されて前記上階床部の下面から下方に突出し、前記ナット付き水平支持材のナットに螺合することで上階床部及び上階壁部はナット付き水平支持材に連結されていることを特徴とする上部躯体の支持構造。
【請求項８】
請求項５記載のナット付き水平支持材上に、下面にナットが挿入される切欠部と切欠部に連通する床側連通孔とが形成された上階床部が、前記切欠部内にナットを収容し且つ該ナットと床側連通孔とが連通した状態で載置され、
前記上階床部上に、前記上階床部とともに建物の上部躯体を構成するとともに、前記床側連通孔に連通する壁側連通孔が形成された上階壁部が立設され、
前記壁側連通孔及び床側連通孔に、上端が前記上階壁部内で係止されたボルトが挿通されて、このボルトの下端部を前記ナット付き水平支持材のナットに螺合することで、上階床部及び上階壁部がナット付き水平支持材に連結されていることを特徴とする上部躯体の支持構造。
【請求項９】
請求項８記載のナット付き水平支持材の取付構造において、床側連通孔と切欠部とは同一の内径であることを特徴とする上部躯体の支持構造。
【発明の詳細な説明】
【０００１】
【発明の属する技術分野】
本発明は、住宅などにおいて上階床部下面に取り付けられるナット付き水平支持材及び建物の上部躯体の支持構造に関する。
【０００２】
【背景の技術】
住宅の構築においては、その工業化が進み、例えば、壁や床、屋根といった構成要素を予め工場にてパネル化しておき、施工現場でこれらのパネルを組み立てることにより、住宅を構築するといったパネル工法が一部に採用されている。
このパネル工法で使用される壁パネルは、框材を矩形枠状に組み立てるとともにこの矩形枠の内部に補強用桟材を縦横に組み付けてなる枠体の表裏両面に合板等からなる面材を取り付けたものであり、中空部を備えている。また、床パネルは框材を矩形状に組み立てるとともにこの矩形枠の内部に補強用桟材を縦横に組み付けてなる枠体の一方の表面に合板等からなる面材を取り付けたものである。
【０００３】
このパネル工法では、例えば特開平１０−０５４４１３号公報に示すように、上階の壁パネルが組み付けられている。
まず、下階の壁パネルの上階に床部（床パネル等で構成される）を介して上階の壁パネルを立設する一方で、胴差ボルトをその下端部が下階の壁パネルの中空部内に配置され、かつその上端部が上階の壁パネルの中空部内に配置されるようにして、下階の壁パネルと上階の壁パネルとに亙って設ける。ここで、下階の壁パネルの上端部、上階の壁パネルの下端部及び床部には、胴差ボルトが通される貫通孔が予め形成されており、胴差ボルトはこれらの貫通孔を通って下階の壁パネルと上階の壁パネルとに亙って設けられる。ついで、胴差ボルトの下端部に座金を外挿した後にナットを螺合させる一方で、胴差ボルトの上端部に座金を外挿した後にナットを螺合させることで、下階の壁パネルと上階の壁パネルとを連結する。
【０００４】
ところで、上述したパネル工法においては、上階の壁パネルを上階の床パネルを介して下階の壁パネルに連結し、該下階の壁パネルに支持させているが、上階の壁パネルを上階の床パネルを挟んで中空部を備えていないまぐさに連結し、これら壁パネル及び床パネルを支持させる場合は、例えば図１２及び図１３に示すような構造が採用されている。
【０００５】
すなわち、床パネル１３１上に壁パネル１３２を建て起こす前に、床パネル１３１に形成されたボルト挿通孔１３３に胴差ボルト１３４を挿通するとともに、床パネル１３１の枠材１３１ａに形成された切欠部１３５を介して、胴差ボルト１３４の下端にナット１３６を螺合させる。この状態で、床パネル１３１上に壁パネル１３２を建て起こした後、胴差ボルト１３４の上端を壁パネル１３２のボルト挿通孔１３７に挿通するとともに、その胴差ボルト１３４の上端にナット１３８を螺合させて、壁パネル１３２を床パネル１３１に締め付け固定する。
【０００６】
続いて、床パネル１３１の切欠部１３５の両側開口面にパッキン材１３９を接着剤により接着して、床パネル１３１の枠材１３１ａと床パネル１３１を支持するマグサ１４０との間の表面段差を補修する。この状態で、各パッキン材１３９及びマグサ１４０の表面にガセット合板１４１を接着剤により接着するとともに、各ガセット合板１４１上から床パネル１３１の枠材１３１ａ及びマグサ１４０に複数の釘１４２を打ち込む。これにより、床パネル１３１とマグサ１４０との間を接合固定するとともに、床パネル１３１の切欠部１３５の両側開口面を閉塞している。
【０００７】
【発明が解決しようとする課題】
しかし、上述したように上階の壁パネルを上階の床パネルを挟んでまぐさと連結することで前記上階の壁パネル及び上階の床パネル等の上部躯体をまぐさに支持させる構造においては、前述のように、床パネル１３１と壁パネル１３２との締め付け固定、及び床パネル１３１とマグサ１４０との間の固定を別々に行っているため、現場施工が面倒で手間がかかる。
【０００８】
本発明の課題は、上部に設けられる床パネルなどの上部躯体を容易に固定して支持することができ、現場施工の簡略化及び施工期間の短縮化を図ることができるまぐさ等の水平支持材及びこの水平支持材により支持される上部躯体の支持構造を提供することである。
【０００９】
【課題を解決するための手段】
以上の課題を解決するため、請求項１記載の発明は、例えば、図５に示すように、
上部に設けられる建物の上部躯体（例えば、上階壁部７６及び上階床部７）を支持するナット付き水平支持材（例えばナット付きまぐさ１）であって、
支持材本体（例えばまぐさ本体２）と、前記上部躯体に設けられるボルト（例えば胴差ボルト７３）と螺合するナット３と、ナット３の下部に設けられた雄ネジ部４０とを備え、
前記ナット３は、前記雄ネジ部４０を支持材本体２の上面２１に設けられた下穴２２に接着剤５を充填してねじ込むことで前記支持材本体２に固定されていることを特徴とする。
【００１０】
請求項１記載の発明によれば、支持材本体２に、上部躯体に設けられるボルト７３と螺合するナット３が雄ネジ部４０及び接着剤５を介して固定されているので、上部躯体の下部に取り付ける際に、前記上部躯体のボルト７３に前記ナット３を螺合するだけで、前記上部躯体は支持材本体２に連結固定される。これにより、上部躯体をナット付き水平支持材に取り付けて支持させる作業を容易に行うことができ、現場施工での簡略化は勿論のこと施工期間の短縮化を図ることができる。すなわち、水平支持材２上に上部躯体をとりつける際に、従来と異なり、水平支持材と上部躯体、つまり上階床部の下部とを接続するための金具、例えば、ガセット合板等を必要とせずに容易に固定支持させることができる。
【００１１】
ここで、前記水平支持材は、建物躯体の一部、特に建物躯体の下部躯体を構成し、水平に設置され、その上部に設けられる上部躯体、例えば、上面に載置される上階床部を支持するものであればどのようなものでもよく、例えば、下階部分分に離間配置された壁間の開口部の上側に配置される部材、特に梁やまぐさ等でもよい。
また、前記ナット３と雄ネジ部４０とは一体のものとして構成されていてもよいし、また、雄ネジ部４０を支持材本体２に固着した後、前記雄ネジ部４０にナット３の下端部３２を螺合してなるものとしてもよい。その際、ナット３における雄ネジ部４０が螺合した下端部より上方の部分では、上階床部７に設けられるボルト７３を確実に螺合できるように構成されている。つまり、ボルト７３が確実に螺合できる分のネジ深さを有するものとする。
【００１２】
請求項２記載の発明は、請求項１記載のナット付き水平支持材において、例えば図９に示すように、
前記雄ネジ部４０の上部に、前記ナット３の下端部３２が螺合されたナット用雄ネジ部４１が設けられ、
このナット用雄ネジ部４１の上部には、前記ナット３内に収納され、前記雄ネジ部４０を下穴２２にねじ込むためのねじ込み部４２が設けられていることを特徴とする。
【００１３】
請求項２記載の発明によれば、前記雄ネジ部４０の上部に、前記ナット３の下端部３２が螺合されたナット用雄ネジ部４１が設けられていることにより、ナット３と雄ネジ部４０とは分割可能であるとともに、雄ネジ部４０のナット用雄ネジ部４１の上部には前記ナット３内に収納され、前記雄ネジ部４０を下穴２２にねじ込むためのねじ込み部４２が設けられているので、支持材本体２にねじ込み部を介して雄ネジ部４０をねじ込んだ後で、ねじ込まれた雄ネジ部４０の上部のナット用雄ネジ部４１にナット３の下端部３２を螺合することで、ナット３を支持材本体２に固定することができる。
つまり、ナット３及び雄ネジ部４０を一体に形成する必要がなく、その成形にかかるコストを削減することができる。
【００１４】
請求項３記載の発明は、請求項１または２記載のナット付き水平支持材において、例えば、図１に示すように、
雄ネジ部４０の外径と下穴２２の内径は略同一であることを特徴とする。
【００１５】
請求項３記載の発明によれば、雄ネジ部４０の外径と下穴２２の内径は略同一であるので、前記雄ネジ部４０は、接着剤５が充填された下穴２２に容易にねじ込むことができるとともに、充填された接着剤５を介して強固に支持材本体２に止着される。
したがって、ナット３を前記支持材本体２に強固に固定することができる。
【００１６】
請求項４記載の発明は、請求項１〜３のいずれか一項に記載のナット付き水平支持材１０において、例えば図８に示すように、
前記ナット３は、上方からボルト７３を挿入できるように前記支持材本体２Ａ内部に固定されていることを特徴とする。
【００１７】
請求項４記載の発明によれば、上階床部７に設けられるボルト７３に螺合されるナット３が、支持材本体２Ａ内に、上方から前記ボルト７３を挿入できるように固定されているので、支持材本体２Ａからナット３が外部に露出することがない。つまり、水平支持材を現場に搬入する際に、複数の支持材本体２を積み重ねて運搬することができる。
【００１８】
請求項５記載の発明は、請求項１〜３のいずれか一項に記載のナット付き水平支持材において、例えば図１に示すように、
前記ナット３は前記支持材本体２の上面２１に取り付けられていることを特徴とする。
【００１９】
請求項５記載の発明によれば、支持材本体２の上面２１からナット３が突出した状態となり、上部躯体を上部に設けて連結させる際に、ナット３の位置を容易に視認でき、前記上階床部７に設けられるボルト７３に簡単に螺合することができる。
【００２０】
請求項６記載の発明は、請求項１〜３のいずれか一項に記載のナット付き水平支持材上に設けられる建物の上部躯体の支持構造において、例えば、図１０に示すように、
前記上部躯体（例えば上階壁部７６及び上階床部７）には、前記ナット付き水平支持材（例えばナット付きまぐさ１０）のナット３に螺合するボルト７３が設けられ、
前記ボルト７３が前記ナット付き水平支持材１０のナット３に螺合することで、前記上部躯体７６，７は前記ナット付き水平支持材１０に支持されていることを特徴とする。
【００２１】
請求項６記載の発明によれば、ナット付き水平支持材上に設けられる上部躯体が、上部躯体に設けられたボルトをナット付き水平支持材のナットに螺合されることで前記ナット付き水平支持材に支持されているので、ナット付き水平支持材１０に上部躯体７，７６を取り付ける際に、前記ボルトをナット付き水平支持材１０のナット３に螺合させるだけで、前記上部躯体７６，７をナット付き水平支持材１０に容易に連結して支持させることができる。これにより、上部躯体と水平支持部材とを連結して、前記上部躯体を支持させる作業を現場施工での簡略化は勿論のこと施工期間の短縮化を図ることができる。
【００２２】
請求項７記載の発明は、例えば図１０に示すように、
請求項４記載のナット付き水平支持材１０上に、ナット付き水平支持材のナット３に連通する床側連通孔７４が形成された上階床部７が載置され、
上階床部７上に、前記上階床部とともに建物の上部躯体を構成するとともに、前記床側連通孔７４に連通する壁側連通孔７５が形成された上階壁部７６が立設され、
前記壁側連通孔７５及び床側連通孔７４に、上端が前記上階壁部７６内で係止されるボルト７３が挿通されて前記上階床部７の下面７１から下方に突出し、前記ナット付き水平支持材１０のナット３に螺合することで上階床部７及び上階壁部７６はナット付き水平支持材１０に連結されていることを特徴とする。
【００２３】
請求項７記載の発明によれば、ナット３が上方からボルト７３を挿入できるように支持材本体２Ａ内部に固定されているナット付き水平支持材上に、床側連通孔７４が形成された上階床部７が載置され、この上階床部７上に、前記床側連通孔７４に連通する壁側連通孔７５が形成された上階壁部７６が立設され、上端が前記上階壁部内で係止されるとともに前記壁側連通孔７５及び床側連通孔７４に挿通されて前記上階床部７の下面から下方に突出するボルト７３が前記ナット３に螺合されることでナット付き水平支持材１０が上階床部７及び上階壁部７６に連結されているので、ナット付き水平支持材１０に上部躯体を構成する上階床部７及び上階壁部７６を設けて支持させる際に、上階壁部７６の壁側連通孔７５及び上階床部７の床側連通孔７４にボルト７３を挿通してナット付き水平支持材１０のナット３に螺合させるだけで、前記上階壁部７６及び上階床部７をナット付き水平支持材１０に連結できる。
【００２４】
したがって、ナット付き水平支持材１０上に載置された上階床部７上で該上階床部７及び上階壁部７６のナット付き水平支持材１０への取付作業を容易に行うことができる。すなわち、従来と異なり、水平支持材となるまぐさを上階床部に取り付ける際に、水平支持材と上階床部７とを接続するための金具、例えば、ガセット合板等を必要とせず、さらに、上階床部７の下方で、上階床部７とこの上階床部７上に立設された上階壁部７６とをボルト７３で連結するためのボルト７３とナット３の締結作業を行う必要がなく、上階床部７上にて、水平支持材１０に上階床部７及び上階壁部７６を容易に連結することで、前記上階床部を前記上階壁部とともにナット付き水平支持材１０に容易に支持させることができる。
【００２５】
請求項８記載の発明は、例えば図５に示すように、請求項５記載のナット付き水平支持材１上に、下面７１にナット３が挿入される切欠部７７と切欠部７７に連通する床側連通孔７４とが形成された上階床部７が、前記切欠部７７内にナット３を収容し且つ該ナット３と床側連通孔７４とが連通した状態で載置され、
前記上階床部７上に、前記上階床部７とともに建物の上部躯体を構成するとともに、前記床側連通孔７４に連通する壁側連通孔７５が形成された上階壁部７６が立設され、
前記壁側連通孔７５及び床側連通孔７４に、上端が前記上階壁部７６内で係止されるボルト７３が挿通されて、このボルト７３の下端部を前記ナット付き水平支持材のナット３に螺合することで上階床部７及び上階壁部７６がナット付き水平支持材１に連結されていることを特徴とする。
【００２６】
請求項８記載の発明によれば、ナット３が支持材本体２の上面２１に取り付けられているナット付き水平支持材１上に、前記ナット３が挿入される切欠部７７と、切欠部７７に連通する床側連通孔７４とが形成された上階床部７が、前記切欠部７７にナット３を収容した状態で載置され、この上階床部７上に、前記床側連通孔７４に連通する壁側連通孔７５が形成された上階壁部７６が立設され、上端が前記上階壁部内で係止されるとともに前記壁側連通孔７５及び床側連通孔７４に挿通されたボルト７３が前記ナット３に螺合されることでナット付き水平支持材１が上階床部７及び上階壁部７６に連結されているので、ナット付き水平支持材１上に上部躯体を構成する上階壁部及び上階床部７を設けて支持させる際に、上階床部を前記水平支持材１上に載置し、この上階床部上に上階壁部７６を立設し、前記上階壁部７６の壁側連通孔７５及び上階床部７の床側連通孔７４にボルト７３を挿通してナット付き水平支持材のナット３に螺合させるだけで、前記上階壁部７６及び上階床部７をナット付き水平支持材１に連結させることができる。
【００２７】
したがって、ナット付き水平支持材１上に載置された上階床部７上で該上階床部７及び上階壁部７６のナット付き水平支持材１への取付作業を容易に行うことができる。すなわち、従来と異なり、水平支持材であるまぐさに上階床部７を取り付ける際に、水平支持材と上階床部とを接続するための金具、例えば、ガセット合板等を必要とせず、さらに、上階床部７とこの上階床部７上に立設された上階壁部７６とをボルト７３で連結するためのボルト７３とナット３の締結作業を上階床部７の下方で行う必要がなく、上階床部７上にて水平支持材に上階床部７及び上階壁部７６を容易に連結することで、前記上階床部７を上階壁部とともに前記水平支持材１に容易に支持させることができる。
さらに、ナット付き水平支持材上に前記上階床部７を載置する際に、上階床部７を水平支持材上面から突出するナット３に、下面７１の切欠部７７を合わせて設置することができ、上階床部７の設置位置の位置決めを容易に行うことができる。
【００２８】
請求項９記載の発明は、請求項８記載のナット付き水平支持材の取付構造において、例えば図に示すように、
床側連通孔７４と切欠部とは同一の内径であることを特徴とする。
【００２９】
請求項９記載の発明によれば、前記床側連通孔７４と前記切欠部７７とは同一の内径であるので、上階床部７に床側連通孔７４と切欠部７７を形成する作業を同一の穿孔作業で行うことができ、ナット付き水平支持材１上に載置される上部躯体の上階床部７の製作を容易に行うことができる。
【００３０】
【発明の実施の形態】
以下、図を参照して本発明の実施の形態を詳細に説明する。
まず、構成を説明する。
図１に示すナット付きまぐさ（水平支持材）１は、上部に設けられる上階床部７を支持する（図５参照）ものであり、まぐさ本体２と、まぐさ本体２の上面２１に取り付けられ、且つ上階床部７に設けられるボルト７３と螺合するナット３と、ナット３の下部に設けられるとともにナット３を前記まぐさ本体２に固定する雄ネジ部４０とを備え、ナット３は、雄ネジ部４０をまぐさ本体２の上面２１に設けられた下穴２２に、接着剤５を充填してねじ込むことでまぐさ本体２に固定されている。
【００３１】
まぐさ本体２は、直方体の角材であり、建物内において下部躯体の上部分、ここでは、下階に離間して配置された壁の上端部間に、前記壁間に亘って架設され、下方に開口部を形成するものである。なお、本実施の形態では、上階床部７を構成する床パネル７ａ，７ｂの下面７１に、上面２１を当接させた状態で取り付けるられるものとしている。
【００３２】
雄ネジ部４０は、この実施の形態ではコーチボルトの軸部により構成され、その上部にナット３の下端部が螺合されたナット用雄ネジ部４１が設けられている。また、このナット用雄ネジ部４１の上部には、雄ネジ部４０をまぐさ本体２にねじ込むためのねじ込み部４２が設けられており、これら雄ネジ部４０、ナット用雄ネジ部４１及びねじ込み部４２は全て同一軸心を有する軸部材４として一体に成形されたものである。さらに雄ネジ部４０の外周には、基端から先端まで軸方向に沿う溝部４４が形成されている。この溝部４４は、雄ネジ部４０を接着剤５が充填された下穴２２にねじ込む際に、下穴２２内における余剰の接着剤５を上方に案内するためのものである。
【００３３】
ねじ込み部４２は、その外径がナット用雄ネジ部４１の外径が小さく前記ナット３内に収納されている。また、ねじ込み部４２は、本実施の形態では六角柱状の部材からなり、めがねレンチなどの工具の連結部に内嵌されるようになっている。また、ねじ込み部４２は、六角柱状としたがこれに限らず、角形の穴を有する筒状部材から構成し、この角形の穴にレンチ、ドライバー、スパナなどの工具を嵌めて、工具を介して雄ネジ部４０をねじ込むようにしてもよい。
このように構成された雄ネジ部４０は、接着剤５を充填させた下穴２２ねじ込まれている。また、本実施の形態では雄ネジ部４０の外径と下穴２２の内径は略同一としている。
【００３４】
ナット３は、その下端部で雄ネジ部４０に設けられたナット用雄ネジ部４１に螺合されることで、上方でボルト７３を螺合可能な状態、つまり、ボルト７３が確実に螺合できるネジ孔深さを有し、雄ネジ部４０に固着されたものとなっている。　そして、雄ネジ部４０を介してまぐさ本体２の上面２１に取り付けられた状態となっている。ここで、ナット３と軸部材４とは、ナット３の下部に雄ネジ部４０が設けられるような一体のものとして構成されていてもよい。ナット３と軸部材とが一体のものであれば、まぐさ本体２への取付作業が容易に行える。
【００３５】
図３及び図４にナット付きまぐさ１の製作方法を示す。
図３（ａ）で示すように、まず、まぐさ本体２の上面２１に穿孔機８１で所定の内径を有する下穴２２を穿孔する。このときの内径は、後でねじ込まれる雄ネジ部４０の外径に対応させた長さとし、本実施の形態では、雄ネジ部４０の外径及び全長と略同じ長さの内径及び全長を有する下穴２２を形成する。
このように雄ネジ部４０の外径と下穴２２の内径が略同一であることにより、雄ネジ部４０は、接着剤５が充填された下穴２２に容易にねじ込むことができるとともに、充填された接着剤５を介して強固にまぐさ本体２に止着され、ナット３をまぐさ本体２に強固に固定できるようになっている。
【００３６】
そして、図３（ｂ）に示すように、まぐさ本体２に形成された下穴２２内に接着剤容器８２により接着剤５を注入して充填する。
次いで、この接着剤５が充填された下穴２２に、ねじ込み部４２とねじ込み工具、例えば、レンチ、スパナ、ドライバー等の工具を連結させて雄ネジ部４０を、その軸を中心に回転させることでねじ込み、まぐさ本体２の上面２１からナット用雄ネジ部４１が突出した状態にさせる。
そして、雄ネジ部４０を所定の深さまでねじ込んだ後、工具をねじ込み部４２から外し、図４に示すように、まぐさ本体２に止着された雄ネジ部４０の上部のナット用雄ネジ部４１に、ナット３の下端部を螺合させることで、ナット付きまぐさ１を作成する。
【００３７】
次に、ナット付きまぐさ１上に建物の上部躯体である上階床部及び上階床部上に立設される上階壁部を取り付けて支持させた構造を説明する。なお、ナット付きまぐさ１は、どのように構築された住宅に用いられても良いが、この実施の形態では、パネル工法により構築される住宅に適用されるものとし、上階床部、上階壁部はそれぞれ床パネル７ａ，７ｂ及び壁パネルにより構成されるものとして説明する。
【００３８】
図５に示すナット付きまぐさ１の取り付け構造では、ナット付きまぐさ１上に、下面７１にナット３が挿入される切欠部７７と、切欠部７７に連通する床側連通孔７４が形成された上階床部７が前記切欠部７７内にナット３が収容され且つ該ナット３と床側連通孔７４とが連通した状態で載置されている。
上階床部７は、床パネル７ａ，７ｂを並べることで構成されており、床側連通孔７４は胴差しボルト７３が挿通する内径を有し、切欠部７７はナット３が内部で収容される内径を有している。ここでは、切欠部７７と、上階床部７の上下に貫通する床側連通孔７４とは同一の内径となっており、同一の穴を穿孔することで形成されている。さらに、上階床部７上には、床側連通孔７４に連通する壁側連通孔７５が形成された上階壁部７６が立設されている。
【００３９】
上階壁部７６は、壁パネルにより構成され内部に中空部を有するととともに、壁パネルの本体となる矩形枠を構成する下框材に上下に連通する壁側連通孔７５が形成されている。この壁側連通孔７５は、床側連通孔７４の内径と略同一の内径を有するものであり、胴差ボルト７３の軸部が挿通されている。
そして、壁側連通孔７５及び床側連通孔７４に、胴差ボルト７３が挿通されてナット付きまぐさ１のナット３に螺合することでナット付きまぐさは上階床部７及び上階壁部７６に連結されている。つまり、胴差ボルト７３の上端部は、上階壁部７６内部で座金８６を介してナット８７により止着され、上階壁部７６を構成する壁パネルの下側横框材７６１上面に係止された状態となっている。
この胴差ボルト７３、上階床部７を介してナット付きまぐさ１は上階床部７に取り付けられた状態となっている。
【００４０】
次に、ナット付きまぐさ１上に上部躯体を構成する上階床部７及び上階壁部７６を設けて支持させる方法を説明する。
まず、例えば工場等にて、ナット付きまぐさ１を作成し、建築現場に搬入した後、図６（ａ）に示すように、所定の箇所に設置する。図６（ａ）では、壁パネル９１を接合してなる下階壁部９の上端部に平板状の補強材９２を介してまぐさ受け金具９３が取り付けられ、このまぐさ受け金具９３にナット付きまぐさ１の一端部を嵌め込み、まぐさ本体２が下階壁部９に対して直交し、且つ上面２１が下階壁部９の上面９４と略面一となるように配置されている。
このように下階壁部９のまぐさ受け金具９３に嵌め込まれたナット付きまぐさ１の下部には開口部９５が形成された状態となる。
【００４１】
なお、図示しないが、ナット付きまぐさ１の他端部は、建物の下部躯体を構成する下階の内壁を構成する壁パネルの側端面の上部に接合される等して固定され、これらまぐさ受け金具９３等を介して下階壁部９や下階の内壁により支持された状態となっている。
このように所定の箇所に設置されたナット付きまぐさ１では、まぐさ本体２の上面２１からナット３が上方に突出した状態となっており、このナット付きまぐさ１の上部に、吊り治具８５を介して吊り上げられた上階床部７を構成する床パネル７ａを設置する（図６（ｂ）参照）。なお、吊り治具８５はクレーン等のワイヤーの先端に取り付けられて、吊り上げ自在となっている。また、ナット付きまぐさ１上に載置される上階床部７は、端面どうしを合わせた複数の床パネル７ａ，７ｂにより構成され、これら床パネル７ａ，７ｂの端面にはそれぞれ上下方向に延在する溝が形成され、床パネル７ａ，７ｂ端面どうしを合わせることで、床側連通孔７４及び切欠部７７が形成されるものとなっている。
【００４２】
ナット付きまぐさ１の上に上階床部７を構成する床パネル７ａを設置する際には、まぐさ本体２の上面２１にナット３が突出した状態で取り付けられているので、このナット３に床パネル７ａの切欠部７７となる溝を合わせるようにして載置できる。つまり、上階床部７の下面７１に取り付けられる際に、ナット３の位置を容易に視認して、上階床部７に設けられるボルト７３に螺合することができ、ナット３を床パネル７ａの位置決めに用いて正確な設置箇所に床パネル７ａを載置することができる。
そして、図７に示すように、上方から胴差ボルト７３の軸部をナット３に螺合させることで、胴差ボルト７３の上端部を床パネル７ａの上面から上方に突出させるとともに、既に載置された床パネル７ａに並べるように、床パネル７ｂを載置する。
【００４３】
このとき載置される床パネル７ｂは、胴差ボルト７３の先端部に端面の溝部を合わせて載置させることができ、その載置作業が容易なものとなっている。
このようにナット付きまぐさ１上に床パネル７ａ，７ｂを並べて載置した後、床パネル７ａ，７ｂどうしの接合部分に上階壁部７６となる壁パネルを、壁側連通孔に胴差ボルト７３の先端部を挿入させて立設するとともに、壁パネルの中空部内で座金８６を介してナット８７を螺合することでナット付きまぐさ１、上階床部７及び上階壁部７６を連結することで、上階壁部７６とナット付きまぐさ１をと締結させ、上階壁部７６及び上階床部７等からなる建物の上部躯体をナット付きまぐさ１に取り付け、支持させた状態にする。
【００４４】
また、雄ネジ部４０の上部に、ナット３の下端部３２が螺合されたナット用雄ネジ部４１が設けられていることにより、ナット３と雄ネジ部４０とは分割可能であるとともに、雄ネジ部４０のナット用雄ネジ部４１の上部には、ナット用雄ネジ部４１より外径が小さくナット３内に収納され、雄ネジ部４０を下穴２２にねじ込むためのねじ込み部４２が設けられているので、まぐさ本体２にねじ込み部を介して雄ネジ部４０をねじ込んだ後で、ねじ込まれた雄ネジ部４０の上部のナット用雄ネジ部４１にナット３の下端部３２を螺合することで、ナット３をまぐさ本体２に固定することができる。
つまり、ナット３及び雄ネジ部４０を一体に形成する必要がなく、その成形にかかるコストを削減することができる。
【００４５】
また、上階床部７及び上階壁部７６等から構成される上部躯体をナット付きまぐさ１に取り付ける作業の際に、ナット３がまぐさ本体２の上面２１に取り付けられているナット付きまぐさ１上に、ナット３が挿入される切欠部７７と、切欠部７７に連通する床側連通孔７４とが形成された上階床部７が、切欠部７７にナット３を収容した状態で載置され、この上階床部７上に、床側連通孔７４に連通する壁側連通孔７５が形成された上階壁部７６が立設され、壁側連通孔７５及び床側連通孔７４に挿通され、且つ上端が上階壁部７６内で螺合されたナット８７により壁パネルの横框材７６１に係止されるボルト７３がナット３に螺合されることでナット付きまぐさ１が上階床部７及び上階壁部７６に連結されているので、ナット付きまぐさ１を上階床部７に取り付ける際に、上階壁部７６の壁側連通孔７５及び上階床部７の床側連通孔７４にボルト７３を挿通してナット付きまぐさのナット３に螺合させるだけで、上階壁部７６及び上階床部７をナット付きまぐさ１に連結できる。
【００４６】
したがって、ナット付きまぐさ１上に載置された上階床部７上で上部壁部７６及び上部床部７等からなる上部躯体とナット付きまぐさとの連結作業を容易に行うことができ、従来と異なり、上階床部７をまぐさに取り付ける際に、まぐさと上階床部７とを接続するための金具、例えば、ガセット合板等を必要とせず、さらに、上階床部７とこの上階床部７上に立設された上階壁部７６とをボルト７３で連結するためのボルト７３とナット３の締結作業を上階床部７の下方で行う必要がなく、上階床部７上にて上階床部７及び上階壁部７６をまぐさ１に容易に連結することで容易に取り付けまぐさ１に支持させることができる。
【００４７】
詳細には、床パネルと壁パネルとの締め付け固定、及び床パネルとマグサとの接合を同時に行うことができ、現場施工を簡略化、施工期間の短縮化を図ることができるとともに、組付け強度を向上させることができる。さらに、まぐさに外装材が取り付けられる場合でもまぐさと床パネルとの接合にガセット合板を用いることがないので、ガセット合板が邪魔になることなく容易に外装材の取付作業を行うことができる。
【００４８】
上記実施の形態におけるナット付きまぐさ１では、ナット３はまぐさ本体２の上面２１に上方に突出するように固定された構成としたが、これに限らず、ナット３をまぐさ本体２内に設けた構成としてもよい。この一例を変形例として説明する。
【００４９】
［変形例］
図８及び図９に示すナット付きまぐさ１０は、上部に上部躯体が設けられるものであり、まぐさ本体の構成のみ異なりその他の構成はナット付きまぐさ１と略同様なものである。したがって同様の構成要素については同符号を付して説明は省略する。
ナット付きまぐさ１０は、まぐさ本体２Ａと、ボルト７３と螺合するナット３と、ナット３の下部に設けられるとともにナット３を前記まぐさ本体２に固定する雄ネジ部４０とを備え、ナット３は、雄ネジ部４０をまぐさ本体２Ａの上面２１から鉛直下方に穿孔された下穴２２Ａに、接着剤５を充填してねじ込むことでまぐさ本体２に固定されている。
【００５０】
まぐさ本体２Ａは、直方体の角材であり、建物内の開口部の上方、ここでは建物の下階の躯体部分である離間して配置された壁どうしの上端部間に架設されるものである。
本変形例では、図１０に示すように、ナット付きまぐさ１０は、その上に、建物の上部躯体を構成する上階床部７Ａと上階壁部７６Ａとが設けられ、上面２１Ａが上階床部７Ａを構成する床パネルの下面７１Ａに当接された状態で上部躯体を支持するものである。
このまぐさ本体２Ａに穿孔された下穴２２Ａは、まぐさ本体２Ａの上面に形成され、ナット３の外径を有するとともにナット３の長さ分の深さを有する座掘部２２１と、座掘部２２１の下部に配置され、座掘部２２１と連通するとともに雄ネジ部４０がねじ込まれる下穴本体部２２２とを有する。
【００５１】
座掘部２２１と下穴本体部２２２とは同軸心を有し、下穴本体部２２２内に雄ネジ部４０がねじ込まれることで、この雄ネジ部４０を介してナット３は、その上端面がまぐさ本体２Ａの上面２１Ａより低く座掘部２２１内に収納された状態でまぐさ本体２Ａに固定されている。これにより、ナット３は、上方からボルト７３を挿入できるようにまぐさ本体２Ａ内部に固定された状態となっている。
なお、下穴本体部２２２の内径と雄ネジ部４０の外径とは略同一のものとなっている。
【００５２】
上述したナット付きまぐさ１０の製作方法は、最初にまぐさ本体２Ａに下穴２２Ａを穿孔する際に、雄ネジ部４０用の下穴本体部２２２と、ナット３が収納される座掘部２２１とを穿孔する。その後の工程は上述したナット付きまぐさ１の製作工程と同様であり、つまり、まぐさ本体２Ａに形成された下穴本体部２２２内に接着剤５を充填させ、その接着剤が充填された下穴本体部２２２に雄ネジ部４０を、その上部に設けられたナット用雄ネジ部４１が座掘部２２１内の下部に配置される状態になるまでねじ込む。そして、座掘部２２１内のナット用雄ネジ部４１にナット３の下端部を螺合させて、ナット３の上端がまぐさ本体２Ａの上面２１Ａよりも高さが低くなる位置となるようにして、ナット３を雄ネジ部４０に固着させることで、ナット付きまぐさ１０が製作される。
【００５３】
このように製作されたナット付きまぐさ１０上に上階床部及び上階壁部を有する建物の上部躯体を取り付け支持させた構造を図１０を参照して説明する。なお、ナット付きまぐさ１０は、どのように構築された住宅に用いられても良いが、上述したナット付きまぐさ１と同様に、パネル工法により構築される住宅に適用されるものとし、ここでは、上述したナット付きまぐさ１による上階床パネル及び上階壁パネルなどからなる上部躯体の取付構造においてナット付きまぐさ１に代えてナット付きまぐさ１０とした構造として説明する。
【００５４】
図１０に示すナット付きまぐさ１０により支持される上部躯体の支持構造では、ナット付きまぐさ１０上に、ナット付きまぐさのナット３に連通する床側連通孔７４Ａが形成された上階床部７が載置され、この上階床部７上に、前記床側連通孔７４Ａに連通する壁側連通孔７５が形成された上階壁部７６が立設されている。
そして、壁側連通孔７５及び床側連通孔７４Ａに、胴差ボルト７３Ａが挿通されて上階床部７の下面７１から下方に突出し、前記ナット付きまぐさ１０のナット３に螺合することでナット付きまぐさ１０が上階床部７及び上階壁部７６に連結されている。なお、上階床部７に形成された床側連通孔７４は胴差しボルト７３が挿通する内径を有する。
【００５５】
胴差ボルト７３Ａは、上述した胴差ボルト７３より軸部が長く、その上端部は、上階壁部７６内部で座金８６を介してナット８７により止着され、上階壁部を構成する壁パネルの下側横框材７６１に係止された状態となっている。
また、胴差ボルト７３Ａの下端部は床部７の下面７１から下方に突出して、ナット付きまぐさ１０の座掘部２２１内のナット３に螺合され、この胴差ボルト７３を介して上階床部７とナット付きまぐさ１０とは締結されている。これにより、上階床部７及び上階壁部７６はナット付きまぐさ１０に支持された状態となっている。
【００５６】
上記変形例のナット付きまぐさ１０によれば、ナット付きまぐさ１０に上階床部７及び上階壁部７６を取り付ける際に、上階壁部７６の壁側連通孔７５及び上階床部７の床側連通孔７４に上端が前記上階壁部内でナット８７に螺合されたボルト７３を挿通してナット付きまぐさ１０のナット３に螺合させるだけで、上階壁部７６及び上階床部７をナット付きまぐさ１０に連結させることができ、ナット付きまぐさ１０上に載置された上階床部７上で該上階床部７及び上階壁部７６をナット付きまぐさ１０に取り付けて支持させる作業を容易に行うことができる。すなわち、従来と異なり、まぐさに上階床部７を取り付ける際に、まぐさと上階床部７とを接合するための金具、例えば、ガセット合板等を必要とせず、さらに、上階床部７の下方で、上階床部７とこの上階床部７上に立設された上階壁部７６とをボルト７３で連結するためのボルト７３とナット３の締結作業等を上階床部下方で行う必要がなく、上階床部７上にて、ナット付きまぐさ１０に上階床部７及び上階壁部７６を容易に連結することで、上階床部７及び上階壁部７６をナット付きまぐさ１０に容易に取り付けて支持させることができる。
【００５７】
また、このナット付きまぐさ１０の設置方法及び、このまぐさ上に上階床部７及び上階壁部７６を取り付けて支持させる方法は、まず、例えば工場等にて、ナット付きまぐさ１を作成し、建築現場に搬入した後、図１１（ａ）に示すように、所定の箇所に設置する。このとき、ナット３はまぐさ本体２Ａ内に収納された状態であるので、ナット付きまぐさ１０を積み重ねて搬入することができる。すなわち、通常の角材のまぐさと外形的には変化がないので、まぐさ本体２Ａに取り付けられているナットを気にせずに、その運搬作業を容易に行うことができるものとなっている。
図１１（ａ）では、壁パネル９１を接合してなる下階壁部９の上端部に平板状の補強材９２を介してまぐさ受け金具９３が取り付けられ、このまぐさ受け金具９３にナット付きまぐさ１の一端部を嵌め込み、まぐさ本体２Ａが下階壁部９に対して直交し、且つ上面２１が下階壁部９の上面９４と略面一となるように配置されている。このように下階壁部９のまぐさ受け金具９３に嵌め込まれたナット付きまぐさ１０の下部には開口部９５が形成された状態となる。
【００５８】
なお、図示しないが、ナット付きまぐさ１の他端部は、下階の内壁を構成する壁パネルの側端面の上部に接合される等して固定され、これらまぐさ受け金具９３等を介して下階壁部９や下階の内壁により支持されるとともにこれら下階壁部９や下階の内壁とともに建物の下部躯体を構成するものとなっている。
そして、ナット付きまぐさ１０の上面に、吊り治具８５を介して吊り上げられた上階床部７を構成する床パネルを設置する（図１１（ｂ）参照）。なお、ナット付きまぐさ１０上に載置される上階床部７Ａは、上述したものと同様に端面どうしを合わせた複数の床パネルにより構成され、これら床パネルの端面にはそれぞれ上下方向に延在する溝が形成され、床パネル端面どうしを合わせることで、床側連通孔７４Ａが形成されるものとなっている。
【００５９】
そして、上方から胴差ボルト７３Ａ（図１０参照）の軸部をナット３に螺合させることで、胴差ボルト７３Ａの上端部を床パネルの上面から上方に突出させるとともに、既に載置された床パネルに並べるように、床パネルを載置する。
このとき載置される床パネルは、胴差ボルト７３Ａの先端部に端面の溝部を合わせて載置させることができ、その載置作業が容易なものとなっている。
このようにナット付きまぐさ１上に床パネルを並べて載置した後、床パネルどうしの接合部分に上階壁部７６となる壁パネルを、壁側連通孔に胴差ボルト７３Ａの先端部を挿入させて立設するとともに、壁パネルの中空部内で座金８６を介してナット８７を螺合することでナット付きまぐさ１０、上階床部７及び上階壁部７６を連結することで、ナット付きまぐさ１０を上階床部７Ａに取り付けた状態にする。
【００６０】
上記実施の形態では、まぐさを水平支持材として説明したが、建物躯体の一部、特に建物躯体の下部躯体を構成し、水平に設置され、その上部に設けられる上部躯体、例えば、上面に載置される上階床部を支持するものであればどのようなものでもよく、例えば、梁としてもよい。
なお、上記実施の形態及び変形例では、ナット３と雄ネジ部４０とは別体のものとして説明したが、ナット３と雄ネジ部４０とを一体のものとして構成されていてもよい。
また、上階床部及び上階壁部等の構成も任意であり、例えば、上階壁部を壁パネルとしたが、これに限らず、角材を用いてもよい。その他、具体的な構成要素等についても適宜に変更可能であることは勿論である。
【００６１】
【発明の効果】
請求項１記載の発明によれば、支持材本体に、上階床部に設けられるボルトと螺合するナットが雄ネジ部及び接着剤を介して固定されているので、上階床部の下部に取り付ける際に、前記上部躯体のボルトに前記ナットを螺合するだけで、前記上部躯体は支持材本体に固定される。これにより、上部躯体をナット付き水平支持材に取り付けて支持させる作業を容易に行うことができ、現場施工での簡略化は勿論のこと施工期間の短縮化を図ることができる。
すなわち、水平支持材を上部躯体の下部にとりつける際に、従来と異なり、水平支持材と上部躯体、つまり上階床部の下部とを接続するための金具、例えば、ガセット合板等を必要とせずに容易に固定支持させることができる。
【００６２】
請求項２記載の発明によれば、請求項記載の発明と同様の効果を得ることができるとともに、前記雄ネジ部の上部に、前記ナットの下端部が螺合されたナット用雄ネジ部が設けられていることにより、ナットと雄ネジ部とは分割可能であるとともに、雄ネジ部のナット用雄ネジ部の上部には、前記ナット内に収納され、前記雄ネジ部を下穴にねじ込むためのねじ込み部が設けられているので、支持材本体にねじ込み部を介して雄ネジ部をねじ込んだ後で、ねじ込まれた雄ネジ部の上部のナット用雄ネジ部にナットの下端部を螺合することで、ナットを支持材本体に固定することができる。
つまり、ナット及び雄ネジ部を一体に形成する必要がなく、その成形にかかるコストを削減することができる。
【００６３】
請求項３記載の発明によれば、請求項または記載の発明と同様の効果を得ることができるとともに、雄ネジ部の外径と下穴の内径は略同一であるので、前記雄ネジ部は、接着剤が充填された下穴に容易にねじ込むことができるとともに、充填された接着剤を介して強固に支持材本体に止着される。
したがって、ナットを前記支持材本体に強固に固定することができる。
【００６４】
請求項４記載の発明によれば、請求項１〜３のいずれか一項に記載の発明と同様の効果を得ることができるとともに、上階床部に設けられるボルトに螺合されるナットが、支持材本体内に、上方から前記ボルトを挿入できるように固定されているので、支持材本体からナットが外部に露出することがない。
つまり、水平支持材を現場に搬入する際に、複数の支持材本体を積み重ねて運搬することができる。
【００６５】
請求項５記載の発明によれば、請求項１〜３のいずれか一項に記載の発明と同様の効果を得ることができるとともに、支持材本体の上面からナットが突出した状態となり、上階床部の下面に取り付けられる際に、ナットの位置を容易に視認することができ、前記上階床部に設けられるボルトに簡単に螺合することができる。
【００６６】
請求項６記載の発明によれば、ナット付き水平支持材に上部躯体を取り付ける際に、前記ボルトをナット付き水平支持材のナットに螺合させるだけで、前記上部躯体をナット付き水平支持材に容易に支持させることができ、上部躯体と水平支持部材とを連結して、前記上部躯体を支持させる作業を現場施工での簡略化は勿論のこと施工期間の短縮化を図ることができる。
【００６７】
請求項７記載の発明によれば、ナット付き水平支持材に上部躯体を構成する上階床部及び上階壁部を支持させる際に、上階壁部の壁側連通孔及び上階床部の床側連通孔にボルトを挿通してナット付き水平支持材のナットに螺合させるだけで、前記上階壁部及び上階床部をナット付き水平支持材に連結できるので、その作業をナット付き水平支持材上に載置された上階床部上で容易に行うことができ、前記上階床部及び前記上階壁部をナット付き水平支持材に容易に支持させることができる。
【００６８】
請求項８記載の発明によれば、ナット付き水平支持材に上部躯体を構成する上階壁部及び上階床部を支持させる際に、上階床部を前記水平支持材上に載置し、この上階床部上に上階壁部を立設し、前記上階壁部の壁側連通孔及び上階床部の床側連通孔にボルトを挿通してナット付き水平支持材のナットに螺合させるだけで、前記上階壁部及び上階床部をナット付き水平支持材に連結させることができるので、ナット付き水平支持材上に載置された上階床部上でその作業を容易に行うことができ、前記上階床部７及び上階壁部を前記水平支持材に容易に支持させることができる。
さらに、ナット付き水平支持材上に前記上階床部７を載置する際に、上階床部を水平支持材上面から突出するナットに、下面の切欠部を合わせて設置することができ、上階床部の設置位置の位置決めを容易に行うことができる。
【００６９】
請求項９記載の発明によれば、請求項記載の発明と同様の効果を得ることができるとともに、前記床側連通孔と前記切欠部とは同一の内径であるので、上階床部に床側連通孔と切欠部を形成する作業を同一の穿孔作業で行うことができ、ナット付き水平支持材上に載置される上部躯体の上階床部の製作を容易に行うことができる。
【図面の簡単な説明】
【図１】本発明を適用した一実施の形態のナット付きまぐさの構成を示す斜視図である。
【図２】図１のナット付きまぐさの構成を示す分解斜視図である。
【図３】図１のナット付きまぐさの作成工程を示す図である。
【図４】図１のナット付きまぐさの作成工程を示す図である。
【図５】本発明を適用した一実施の形態のナット付きまぐさが上階床部に取り付けられた状態を示す概略断面図である。
【図６】図１のナット付きまぐさを上階床部に取り付ける工程を示す図である。
【図７】図１のナット付きまぐさを上階床部に取り付ける工程を示す図である。
【図８】本発明を適用した一実施の形態のナット付き水平支持材の変形例の構成を示すナット付きまぐさの要部断面図である。
【図９】図８のナット付きまぐさの構成を示す分解斜視図である。
【図１０】本発明を適用した変形例としてのナット付きまぐさが上階床部に取り付けられた状態を示す概略断面図である。
【図１１】図８に示す変形例としてのナット付きまぐさを上階床部に取り付ける工程を示す図である。
【図１２】従来のまぐさの取付構造を示す要部分解斜視図である。
【図１３】図１２のまぐさの取付構造の要部断面図である。
【符号の説明】
１，１０　ナット付きまぐさ（ナット付き水平支持材）
２，２Ａ　　　まぐさ本体（水平支持材本体）
３　　　ナット
４０　　　雄ネジ部
５　　　接着剤
７　　　上階床部（建物の上部躯体）
２１，２１Ａ　　　まぐさ本体の上面（水平支持材本体の上面）
２２　　　下穴
３２　　　ナットの下端部
４１　　　ナット用雄ネジ部
４２　　　ねじ込み部
７１，７１Ａ　　　上階床部の下面
７３，７３Ａ　　　胴差ボルト（ボルト）
７４，７４Ａ　　　床側連通孔
７５　　　壁側連通孔
７６　　　上階壁部（建物の上部躯体）
７７　　　切欠部
２２２　　下穴本体部（下穴）
【図１】
2004052234.tif 000003
【図２】
2004052234.tif 000004
【図３】
2004052234.tif 000005
【図４】
2004052234.tif 000006
【図５】
2004052234.tif 000007
【図６】
2004052234.tif 000008
【図７】
2004052234.tif 000009
【図８】
2004052234.tif 000010
【図９】
2004052234.tif 000011
【図１０】
2004052234.tif 000012
【図１１】
2004052234.tif 000013
【図１２】
2004052234.tif 000014
【図１３】
2004052234.tif 000015